(57)【特許請求の範囲】
【請求項１】
第１の入力信号に遅延量制御信号に応じた遅延量を与える可変遅延回路と、第２の入力信号に一定の遅延量を与える固定遅延回路と、上記可変遅延回路および上記固定遅延回路の出力信号の符号誤り率に基づく信号に応じて遅延量制御信号を生成し、上記可変遅延回路に供給する遅延量制御回路とを備えた遅延量調整回路。
【請求項２】
第１の入力信号に遅延量制御信号に応じた遅延量を与える可変遅延回路と、上記可変遅延回路の出力信号をろ波する第１のフィルタ回路と、上記第１のフィルタ回路の出力信号を第１の主出力信号および第１の分岐出力信号に分岐する第１の分岐回路と、第２の入力信号に一定の遅延量を与える固定遅延回路と、上記固定遅延回路の出力信号をろ波する第２のフィルタ回路と、上記第２のフィルタ回路の出力信号を第２の主出力信号および第２の分岐出力信号に分岐する第２の分岐回路と、第１の分岐出力信号および第２の分岐出力信号の位相差を検出する位相比較器と、上記位相比較器から出力された位相差を積分する積分回路と、第１の主出力信号および第２の主出力信号の符号誤り率に基づく信号および上記積分回路の出力信号に応じて遅延量制御信号を生成し上記可変遅延回路に供給する遅延量制御回路とを備えた遅延量調整回路。
【請求項３】
請求項１または請求項２記載の遅延量調整回路からの出力信号の符号誤り率を検出してその符号誤り率に基づく信号をその遅延量調整回路に供給することを特徴とする受信機。
【請求項４】
第１の送信機および第１の受信機からなる第１の通信機と、第２の送信機および第２の受信機からなる第２の通信機とを備え、上記第１の送信機は、請求項１または請求項２記載の遅延量調整回路からの出力信号を変調して送信し、上記第２の受信機は、上記第１の送信機からの送信を受信し、復調した受信信号の符号誤り率を検出してその符号誤り率に基づく信号を出力し、上記第２の送信機は、その符号誤り率に基づく信号を変調して送信し、上記第１の受信機は、上記第２の送信機からの送信を受信し、復調した符号誤り率に基づく信号を上記第１の送信機の遅延量調整回路に供給することを特徴とする通信機システム。
【発明の詳細な説明】
【０００１】
【発明の属する技術分野】
この発明は、２系列の相対遅延量を調整する遅延量調整回路、受信機および通信機システムに関するものである。
【０００２】
【従来の技術】
図５は例えば特開平４−４７８０６号公報に示された従来の遅延量調整回路を示す構成図であり、図において、１は第１の入力信号、２は第１の入力信号１に遅延量制御信号１５に応じた遅延量を与える可変遅延回路、３は可変遅延回路２の出力信号をろ波する第１のフィルタ回路、４は第１のフィルタ回路３の出力信号を第１の主出力信号５および第１の分岐出力信号６に分岐する第１の分岐回路である。また、７は第２の入力信号、８は第２の入力信号７に一定の遅延量を与える固定遅延回路、９は固定遅延回路８の出力信号をろ波する第２のフィルタ回路、１０は第２のフィルタ回路９の出力信号を第２の主出力信号１１および第２の分岐出力信号１２に分岐する第２の分岐回路である。１３は第１の分岐出力信号６および第２の分岐出力信号１２の位相差を検出する位相比較器、１４は位相比較器１３から出力された位相差を積分し、遅延量制御信号１５として可変遅延回路２に供給する積分回路である。
【０００３】
次に動作について説明する。
図５に示した遅延量調整回路は、受信機または送信機等に用いられるものであり、２系列の相対遅延量を調整して、位相差を最小にして出力するものである。図において、可変遅延回路２は、一方のベースバンド信号等の第１の入力信号１に遅延量制御信号１５に応じた遅延量を与え、第１のフィルタ回路３は、可変遅延回路２の出力信号をろ波する。第１の分岐回路４は、第１のフィルタ回路３の出力信号を第１の主出力信号５および第１の分岐出力信号６に分岐する。
また、固定遅延回路８は、他方のベースバンド信号等の第２の入力信号７に一定の遅延量を与え、第２のフィルタ回路９は、固定遅延回路８の出力信号をろ波する。第２の分岐回路１０は、第２のフィルタ回路９の出力信号を第２の主出力信号１１および第２の分岐出力信号１２に分岐する。
そして、位相比較器１３は、第１の分岐出力信号６および第２の分岐出力信号１２の位相差を検出し、積分回路１４は、位相比較器１３から出力された位相差を積分し、平滑化して遅延量制御信号１５として可変遅延回路２に供給する。
その結果、可変遅延回路２では、第１の出力信号５と第２の出力信号１１との位相差が最小となるように第１の入力信号１に遅延量が与えられる。
【０００４】
【発明が解決しようとする課題】
従来の遅延量調整回路は以上のように構成されているので、この遅延量調整回路を、例えば、４相位相変調回路等に用いた場合には、２系列の相対遅延量を調整して最小にしても、この遅延量調整回路の後段に接続される変調デバイスの特性のばらつきにより、変調信号の直交度の９０度からのずれが最小となるとは限らず、常に最良の信号が送信されるとは言えない。
また、同様に復調回路等に用いた場合においても、２系列の相対遅延量を調整して最小にしても、この遅延量調整回路の後段に接続されるデバイスの特性のばらつきにより、位相差が発生するので符号誤り率が最小となるとは言えないなどの課題があった。
【０００５】
この発明は上記のような課題を解決するためになされたもので、符号誤り率が最小となるように遅延量を調整する遅延量調整回路、受信機および通信機システムを得ることを目的とする。
【０００６】
【課題を解決するための手段】
この発明に係る遅延量調整回路は、第１の入力信号に遅延量制御信号に応じた遅延量を与える可変遅延回路と、第２の入力信号に一定の遅延量を与える固定遅延回路と、可変遅延回路および固定遅延回路の出力信号の符号誤り率に基づく信号に応じて遅延量制御信号を生成し、可変遅延回路に供給する遅延量制御回路とを備えたものである。
【０００７】
この発明に係る遅延量調整回路は、第１の入力信号に遅延量制御信号に応じた遅延量を与える可変遅延回路と、可変遅延回路の出力信号を第１のフィルタ回路によりろ波し、第１の主出力信号および第１の分岐出力信号に分岐する第１の分岐回路と、第２の入力信号に一定の遅延量を与える固定遅延回路と、固定遅延回路の出力信号を第２のフィルタ回路によりろ波し、第２の主出力信号および第２の分岐出力信号に分岐する第２の分岐回路と、第１の分岐出力信号および第２の分岐出力信号の位相差を位相比較器により検出し、その位相差を積分する積分回路と、第１の主出力信号および第２の主出力信号の符号誤り率に基づく信号および積分回路の出力信号に応じて遅延量制御信号を生成し可変遅延回路に供給する遅延量制御回路とを備えたものである。
【０００８】
この発明に係る受信機は、遅延量調整回路からの出力信号の符号誤り率を検出してその符号誤り率に基づく信号をその遅延量調整回路に供給するものである。
【０００９】
この発明に係る通信機システムは、第１の送信機および第１の受信機からなる第１の通信機と、第２の送信機および第２の受信機からなる第２の通信機とを備え、第１の送信機は、遅延量調整回路からの出力信号を変調して送信し、第２の受信機は、第１の送信機からの送信を受信し、復調した受信信号の符号誤り率を検出してその符号誤り率に基づく信号を出力し、第２の送信機は、その符号誤り率に基づく信号を変調して送信し、第１の受信機は、第２の送信機からの送信を受信し、復調した符号誤り率に基づく信号を第１の送信機の遅延量調整回路に供給するものである。
【００１０】
【発明の実施の形態】
以下、この発明の実施の一形態を説明する。
実施の形態１．
図１はこの発明の実施の形態１による遅延量調整回路を示す構成図であり、図において、１は第１の入力信号、２は第１の入力信号１に遅延量制御信号２４に応じた遅延量を与える可変遅延回路、２１は可変遅延回路２の出力信号である。また、７は第２の入力信号、８は第２の入力信号７に一定の遅延量を与える固定遅延回路、１１は固定遅延回路８の出力信号である。
さらに、２２は可変遅延回路２および固定遅延回路８の出力信号２１，１１の符号誤り率に基づく信号２３に応じて遅延量制御信号２４を生成し、可変遅延回路２に供給する遅延量制御回路である。
【００１１】
次に動作について説明する。
図１に示した遅延量調整回路は、受信機または送信機等に用いられるものであり、２系列の信号の相対位相差を常に符号誤り率が最小となるように制御するものである。
図において、可変遅延回路２は、一方のベースバンド信号等の第１の入力信号１に遅延量制御信号２４に応じた遅延量を与え、出力信号２１を出力する。
また、固定遅延回路８は、他方のベースバンド信号等の第２の入力信号７に一定の遅延量を与え、出力信号１１を出力する。
そして、遅延量制御回路２２は、可変遅延回路２および固定遅延回路８の出力信号２１，１１の符号誤り率に基づく信号２３に応じて遅延量制御信号２４を生成し、可変遅延回路２に供給する。
その結果、可変遅延回路２では、第１の出力信号２１と第２の出力信号１１との相対位相差を常に符号誤り率が最小となるように第１の入力信号１に遅延量が与えられる。
このように、図１に示した構成により、符号誤り率が最小となるように遅延量を調整する遅延量調整回路を得ることができる。
【００１２】
次に図１に示した遅延量調整回路を受信機に適用した場合について説明する。
図２はこの発明の実施の形態１による受信機を示す構成図であり、図において、３１は受信信号を復調する復調回路、３２は復調された２系列の信号の相対位相差を常に符号誤り率が最小となるように制御する図１に示した遅延量調整回路、３３，３４は遅延量調整回路３２からの２系列の出力信号の符号を識別する識別回路、３５は識別回路３３，３４からの２系列の出力信号をさらに多重分離する多重分離回路、３６は多重分離回路３５によって多重分離された出力信号の符号誤り率を検出してその符号誤り率に基づく信号２３を遅延量調整回路３２に供給する符号誤り率検出回路である。
【００１３】
次に動作について説明する。
図２において、復調回路３１は、受信信号を復調し、遅延量調整回路３２は、復調された２系列の信号の相対位相差が最小となるように制御する。識別回路３３，３４は、２系列の出力信号としきい値との比較に応じて符号を識別し、多重分離回路３５は、２系列の出力信号をさらに多重分離する。そして、符号誤り率検出回路３６は、多重分離された出力信号の符号誤り率を検出して、その符号誤り率に基づく信号２３を遅延量調整回路３２に供給する。
この結果、遅延量調整回路３２の可変遅延回路２では、復調された２系列の信号の相対位相差を常に符号誤り率が最小となるように遅延量が与えられる。
このように、図２に示した構成により、符号誤り率が最小となるように遅延量を調整する遅延量調整回路を適用した受信機を得ることができる。
【００１４】
次に図１に示した遅延量調整回路を送信機に適用した場合について説明する。
図３はこの発明の実施の形態１による通信システムを示す構成図であり、図において、４１は第１の通信機、４２は第２の通信機、第１の通信機４１において、４３は第１の送信機、４４は第１の受信機、４５は第２の受信機、４６は第２の送信機である。
また、第１および第２の送信機４３，４６において、５１は複数系列のデータおよび符号誤り率に基づく信号を多重化する多重化回路、５２は多重化された２系列の信号の相対位相差を常に符号誤り率が最小となるように制御する図１に示した遅延量調整回路、５３は遅延量調整回路５２からの２系列の出力信号を変調して送信する変調回路である。
さらに、第１および第２の受信機４４，４５において、３１は受信信号を復調する復調回路、３５は復調回路３１からの２系列の出力信号をさらに多重分離する多重分離回路、３６は多重分離回路３５によって多重分離された出力信号の符号誤り率を検出してその符号誤り率に基づく信号を多重化回路５１に出力する符号誤り率検出回路である。
５４は第１の送信機４３から送信される送信波、５５は第２の送信機４６から送信される送信波である。
【００１５】
次に動作について説明する。
図３は、図１に示した遅延量調整回路５２を、第１の送信機４３と第２の送信機４６とに適用したものであり、それぞれの符号誤り率を第１および第２の受信機４４，４５で検出して、それら符号誤り率に基づく信号を第１および第２の送信機４３，４６にフィードバックすることにより、符号誤り率が最小となるように遅延量を与えている。
第１の送信機４３に適用された遅延量調整回路５２と、第２の送信機４６に適用された遅延量調整回路５２との調整動作は、同一であるので、第１の送信機４３に適用された遅延量調整回路５２の調整動作についてのみ説明する。
第１の送信機４３において、多重化回路５１は、複数系列のデータを多重化し、遅延量調整回路５２は、多重化された２系列の信号の相対位相差を最小となるように制御する。変調回路５３は、遅延量調整回路５２からの２系列の出力信号を変調して、送信波５４を送信する。
また、第２の受信機４５において、復調回路３１は、送信波５４を受信し、その受信信号を復調し、多重分離回路３５は、復調回路３１からの２系列の出力信号をさらに多重分離する。符号誤り率検出回路３６は、多重分離回路３５によって多重分離された出力信号の符号誤り率を検出して、その符号誤り率に基づく信号▲１▼を出力する。
さらに、第２の送信機４６において、多重化回路５１は、複数系列のデータおよび符号誤り率に基づく信号▲１▼を多重化し、変調回路５３は、遅延量調整回路５２からの２系列の出力信号を変調して、送信波５５を送信する。
さらに、第１の受信機４４において、復調回路３１は、送信波５５を受信し、その受信信号を復調し、多重分離回路３５は、復調回路３１からの２系列の出力信号をさらに多重分離し、そして、その符号誤り率に基づく信号▲１▼を遅延量調整回路５２に供給する。
この結果、第１の送信機４３の遅延量調整回路５２の可変遅延回路２では、多重化された２系列の信号の相対位相差を常に符号誤り率が最小となるように遅延量が与えられる。
なお、第２の送信機４６の遅延量調整回路５２は、符号誤り率に基づく信号▲２▼によって遅延量が調整される。
このように、図３に示した構成により、符号誤り率が最小となるように遅延量を調整する遅延量調整回路を適用した送信機を得ることができる。
【００１６】
以上のように、この実施の形態１によれば、図１に示した構成により、符号誤り率が最小となるように遅延量を調整する遅延量調整回路を得ることができ、図２に示した構成により、符号誤り率が最小となるように遅延量を調整する遅延量調整回路を適用した受信機を得ることができ、図３に示した構成により、符号誤り率が最小となるように遅延量を調整する遅延量調整回路を適用した送信機を得ることができる。
【００１７】
実施の形態２．
図４はこの発明の実施の形態２による遅延量調整回路を示す構成図であり、図において、１は第１の入力信号、２は第１の入力信号１に遅延量制御信号６５に応じた遅延量を与える可変遅延回路、３は可変遅延回路２の出力信号をろ波する第１のフィルタ回路、４は第１のフィルタ回路３の出力信号を第１の主出力信号６１および第１の分岐出力信号６２に分岐する第１の分岐回路である。
また、７は第２の入力信号、８は第２の入力信号７に一定の遅延量を与える固定遅延回路、９は固定遅延回路８の出力信号をろ波する第２のフィルタ回路、１０は第２のフィルタ回路９の出力信号を出力信号（第２の主出力信号）１１および第２の分岐出力信号１２に分岐する第２の分岐回路である。
さらに、１３は第１の分岐出力信号６２および第２の分岐出力信号１２の位相差を検出する位相比較器、１４は位相比較器１３から出力された位相差を積分する積分回路である。
さらに、６３は第１および第２の主出力信号６１，１１の符号誤り率に基づく信号６４と、積分回路１４の出力信号とに応じて遅延量制御信号６５を生成し、可変遅延回路２に供給する遅延量制御回路である。
【００１８】
次に動作について説明する。
図４に示した遅延量調整回路は、受信機または送信機等に用いられるものであり、２系列の信号の相対位相差を常に符号誤り率が最小となるように制御するものである。
図において、可変遅延回路２は、一方のベースバンド信号等の第１の入力信号１に遅延量制御信号６５に応じた遅延量を与え、第１のフィルタ回路３は、可変遅延回路２の出力信号をろ波する。第１の分岐回路４は、第１のフィルタ回路３の出力信号を第１の主出力信号６１および第１の分岐出力信号６２に分岐する。また、固定遅延回路８は、他方のベースバンド信号等の第２の入力信号７に一定の遅延量を与え、第２のフィルタ回路９は、固定遅延回路８の出力信号をろ波する。第２の分岐回路１０は、第２のフィルタ回路９の出力信号を第２の主出力信号１１および第２の分岐出力信号１２に分岐する。
さらに、位相比較器１３は、第１の分岐出力信号６２および第２の分岐出力信号１２の位相差を検出し、積分回路１４は、位相比較器１３から出力された位相差を積分し、平滑化する。
そして、遅延量制御回路６３は、第１および第２の主出力信号６１，１１の符号誤り率に基づく信号６４と、積分回路１４の出力信号とに適当な重み付けをした値に応じて遅延量制御信号６５を生成し、可変遅延回路２に供給する。
その結果、可変遅延回路２では、第１の主出力信号６１と第２の主出力信号１１との相対位相差を常に符号誤り率が最小となるように第１の入力信号１に遅延量が与えられる。
【００１９】
ここで、位相比較器１３による位相差の検出は、比較される第１および第２の分岐出力信号６２，１２の周期の数倍から数十倍の応答速度が得られる。
一方、第１および第２の主出力信号６１，１１の符号誤り率に基づく信号６４の検出は、例えば、１００万分の１の誤り率を検出するためには、第１および第２の主出力信号６１，１１の周期の１００万倍の時間が必要となるため、符号誤り率が小さくなるほど応答が遅くなってしまう。
そこで、遅延量制御回路６３では、積分回路１４の出力信号と、第１および第２の主出力信号６１，１１の符号誤り率に基づく信号６４との２つの手法による信号に適当な重み付けをし、その値に応じて遅延量制御信号６５を生成することにより、符号誤り率に基づく信号だけの遅延量制御に比べて、応答性良く、早く符号誤り率を最小にすることができる。
【００２０】
なお、図２に示した受信機の構成、および図３に示した通信機システムの構成に、この実施の形態２に示した遅延量調整回路を適用しても良く、実施の形態１に比較して、応答性良く、早く符号誤り率を最小にすることができる受信機および送信機を得ることができる。
【００２１】
以上のように、この実施の形態２によれば、積分回路１４の出力信号と、第１および第２の主出力信号６１，１１の符号誤り率に基づく信号６４との２つの手法による信号に適当な重み付けをし、その値に応じて遅延量制御信号６５を生成することにより、符号誤り率に基づく信号だけの遅延量制御に比べて、応答性良く、早く符号誤り率を最小となるように遅延量を調整する遅延量調整回路を得ることができる。
【００２２】
【発明の効果】
以上のように、この発明によれば、第１の入力信号に遅延量制御信号に応じた遅延量を与える可変遅延回路と、第２の入力信号に一定の遅延量を与える固定遅延回路と、可変遅延回路および固定遅延回路の出力信号の符号誤り率に基づく信号に応じて遅延量制御信号を生成し、可変遅延回路に供給する遅延量制御回路とを備えるように構成したので、符号誤り率が最小となるように遅延量を調整する遅延量調整回路を得ることができる効果が得られる。
【００２３】
この発明によれば、第１の入力信号に遅延量制御信号に応じた遅延量を与える可変遅延回路と、可変遅延回路の出力信号を第１のフィルタ回路によりろ波し、第１の主出力信号および第１の分岐出力信号に分岐する第１の分岐回路と、第２の入力信号に一定の遅延量を与える固定遅延回路と、固定遅延回路の出力信号を第２のフィルタ回路によりろ波し、第２の主出力信号および第２の分岐出力信号に分岐する第２の分岐回路と、第１の分岐出力信号および第２の分岐出力信号の位相差を位相比較器により検出し、その位相差を積分する積分回路と、第１の主出力信号および第２の主出力信号の符号誤り率に基づく信号および積分回路の出力信号に応じて遅延量制御信号を生成し可変遅延回路に供給する遅延量制御回路とを備えるように構成したので、第１の主出力信号および第２の主出力信号の符号誤り率に基づく信号と、積分回路の出力信号との２つの手法による信号に応じて遅延量制御信号を生成することにより、符号誤り率に基づく信号だけの遅延量制御に比べて、応答性良く、早く符号誤り率を最小となるように遅延量を調整する遅延量調整回路を得ることができる効果が得られる。
【００２４】
この発明によれば、遅延量調整回路からの出力信号の符号誤り率を検出してその符号誤り率に基づく信号をその遅延量調整回路に供給するように構成したので、符号誤り率が最小となるように遅延量を調整する遅延量調整回路を適用した受信機を得ることができる効果が得られる。
【００２５】
この発明によれば、第１の送信機および第１の受信機からなる第１の通信機と、第２の送信機および第２の受信機からなる第２の通信機とを備え、第１の送信機は、遅延量調整回路からの出力信号を変調して送信し、第２の受信機は、第１の送信機からの送信を受信し、復調した受信信号の符号誤り率を検出してその符号誤り率に基づく信号を出力し、第２の送信機は、その符号誤り率に基づく信号を変調して送信し、第１の受信機は、第２の送信機からの送信を受信し、復調した符号誤り率に基づく信号を第１の送信機の遅延量調整回路に供給するように構成したので、符号誤り率が最小となるように遅延量を調整する遅延量調整回路を適用した送信機を得ることができる効果が得られる。
【図面の簡単な説明】
【図１】  この発明の実施の形態１による遅延量調整回路を示す構成図である。
【図２】  この発明の実施の形態１による受信機を示す構成図である。
【図３】  この発明の実施の形態１による通信システムを示す構成図である。
【図４】  この発明の実施の形態２による遅延量調整回路を示す構成図である。
【図５】  従来の遅延量調整回路を示す構成図である。
【符号の説明】
１  第１の入力信号、２  可変遅延回路、３  第１のフィルタ回路、４  第１の分岐回路、７  第２の入力信号、８  固定遅延回路、９  第２のフィルタ回路、１０  第２の分岐回路、１１  出力信号（第２の主出力信号）、１２  第２の分岐出力信号、１３  位相比較器、１４  積分回路、２１  出力信号、２２，６３  遅延量制御回路、２３，６４  符号誤り率に基づく信号、２４，６５  遅延量制御信号、３１  復調回路、３２，５２  遅延量調整回路、３３，３４  識別回路、３５  多重分離回路、３６  符号誤り率検出回路、４１  第１の通信機、４２  第２の通信機、４３  第１の送信機、４４  第１の受信機、４５  第２の受信機、４６  第２の送信機、５１  多重化回路、５２  遅延量調整回路、５３変調回路、５４，５５  送信波、６１  第１の主出力信号、６２  第１の分岐出力信号。
【図１】
0003655160.tif 000002
【図２】
0003655160.tif 000003
【図３】
0003655160.tif 000004
【図４】
0003655160.tif 000005
【図５】
0003655160.tif 000006